(57)【要約】【課題】    戸建住宅にも適用出来、宅内の異常を近隣の住人及び指定の連絡先に知らせることができるセキュリティシステムを提供する。【解決手段】  侵入セキュリティシステム２には、ＷＥＢの表示・操作機能からなるドアホン部５と、火災を検知するセンサ、ガス漏れを検知するセンサからなる防災センサ部７と、身体の異常や何か異変が起こった時に押すことにより異常を知らせるコールボタン６と、パソコン、レコーダー、携帯電話などのＷＥＢの表示・操作機能を備える表示・操作装置１１と、カメラで撮影した画像・映像を蓄積する記憶機能部４ａと、異常時の連絡先などを記憶し、作動させる連絡機能４ｂとを有し、侵入者を検知した場合、災害を検知した場合、住人の異常を検知した場合に、宅内に威嚇や警告音を発生するだけでなく、宅外の通行人や近隣の人にも異常を知らせる多重通報機能４ｅが備えられている。【選択図】図１
2006243815.tif 000002
【特許請求の範囲】
【請求項１】
各種センサの検知により、異常時に指定先にメールや電話で連絡する機能を有する侵入セキュリティシステムを有するセキュリティシステムであって、
前記侵入セキュリティシステムには、屋外に設けられたドアホン部との通話を行う通信機能を設けて、異常を検知した場合に、宅内に威嚇や警告音を発生するだけでなく、宅外の通行人や近隣の人にも異常を知らせる多重通報機能を備えたことを特徴とするセキュリティシステム。
【請求項２】
警戒モードと非警戒モードとの間で状態を切り替えるモード切替手段と、警報屋内出力手段と、警報信号送出手段と、防犯各種センサ、監視用カメラ、防災用各種センサ又はコールボタン等の異常検知手段とを備え、異常時に警報信号送出手段により指定先に連絡する機能を有するセキュリティシステムであって、
警報屋外出力手段を備え、警戒モードで侵入者を検知した場合、災害を検知した場合又は住人の異常を検知した場合に、警報屋内出力手段により宅内に威嚇や警告音を発生するだけでなく、警報屋外出力手段により宅外の通行人や近隣の人にも異常を知らせる多重通報機能を備えたことを特徴とするセキュリティシステム。
【請求項３】
前記ドアホン部に人感センサを付属させるか、或いは、侵入セキュリティシステムの何れかのセンサを特定位置に設置することにより、帰宅者を確認できる帰宅者確認機能を有することを特徴とする請求項１又は２記載のセキュリティシステム。
【発明の詳細な説明】
【技術分野】
【０００１】
本発明は、住宅内に設置されたセキュリティシステムに関し、特に、防災センサ，コールボタンより宅内の異常を検知した場合に、室内への威嚇音・警告音・警戒音などの音の発生とともに、室外への音・音声の発生を行うセキュリティシステムに関するものである。
【背景技術】
【０００２】
近年の侵入者に対するセキュリティシステムでは、センサにて侵入者を検知すると、センサ部や操作装置から音声による威嚇を行い、指定先へ電話やメールにより連絡することが一般的である。
【０００３】
また、室内の火災検知やガス漏れ検知の状況、戸締りの状態、照明の状態等をドアホン子機にて確認できるシステムが記載されている。このシステムにより外出時に宅内の情報がドアホン子機から音声で確認でき、ガス漏れや戸締り忘れや照明の消し忘れを確認できるものも知られている（例えば、特許文献１等参照）。
【０００４】
更に、ドアホン親機にてセキュリティシステムの状態の確認やモードの切替、防犯センサや火災・ガス漏れの検知センサが異常を検知した場合にドアホン親機に異常を表示したり、スピーカーから異常を知らせたり、マンションなどの管理センターに異常を知らせたり、同じネットワーク上にあるドアホン親機に異常を通知することができるシステムが知られている。
【０００５】
このシステムにより、住人や管理センターなどに侵入者があったことや火災・ガス漏れなどを知らせることができるものも知られている（特許文献２等参照）。
【特許文献１】特開平５−３２５０７６号公報
【特許文献２】特開２００２−２６０１３５号公報
【発明の開示】
【発明が解決しようとする課題】
【０００６】
しかしながら、前記特許文献１では，ドアホン子機では、住宅内の情報の確認のみであり，宅内の異常を近隣の住人に通知することができない。
【０００７】
また、前記特許文献２では、管理センターに宅内の異常を通知できたり，同じネットワーク上にあるドアホン親機に異常を通知することができる。
【０００８】
しかしながら、戸建住宅の場合、管理センターや同じネットワーク上に他の家のドアホン親機が存在することはなく、マンションのみで実現可能なシステムであった。
【０００９】
そこで、この発明は、戸建住宅にも適用出来、宅内の異常を近隣の住人及び指定の連絡先に知らせることができるセキュリティシステムを提供することを課題としている。
【課題を解決するための手段】
【００１０】
上記目的を達成するために、請求項１に記載された発明は、各種センサの検知により、異常時に指定先にメールや電話で連絡する機能を有する侵入セキュリティシステムを有するセキュリティシステムであって、前記侵入セキュリティシステムには、屋外に設けられたドアホン部との通話を行う通信機能を設けて、異常を検知した場合に、宅内に威嚇や警告音を発生するだけでなく、宅外の通行人や近隣の人にも異常を知らせる多重通報機能を
備えたセキュリティシステムを特徴としている。
【００１１】
また、請求項２に記載された発明は、警戒モードと非警戒モードとの間で状態を切り替えるモード切替手段と、警報屋内出力手段と、警報信号送出手段と、防犯各種センサ、監視用カメラ、防災用各種センサ又はコールボタン等の異常検知手段とを備え、異常時に警報信号送出手段により指定先に連絡する機能を有するセキュリティシステムであって、
警報屋外出力手段を備え、警戒モードで侵入者を検知した場合、災害を検知した場合又は住人の異常を検知した場合に、警報屋内出力手段により宅内に威嚇や警告音を発生するだけでなく、警報屋外出力手段により宅外の通行人や近隣の人にも異常を知らせる多重通報機能を備えたセキュリティシステムを特徴としている。
【００１２】
更に、請求項３に記載されたものは、前記ドアホン部に人感センサを付属させるか、或いは、侵入セキュリティシステムの何れかのセンサを特定位置に設置することにより、帰宅者を確認できる帰宅者確認機能を有する請求項１又は２記載のセキュリティシステムを特徴としている。
【発明の効果】
【００１３】
このように構成された本願発明の請求項１に記載されたものは、異常が検知された場合、例えば、前記侵入セキュリティシステムで、侵入者が検知されると、前記多重通報機能によって、指定先である警察署等、関係機関への通報が行われると共に、宅内に威嚇や警告音が発生されるだけでなく、宅外の通行人や近隣の人にも異常が知らされる。
【００１４】
また、請求項２記載のものは、前記モード切替装置により、警戒モードが選択されている際、前記侵入セキュリティシステムで、侵入者が検知されると、前記多重通報機能によって、警察署等、関係機関への通報が行われると共に、宅内に威嚇や警告音が発生されるだけでなく、宅外の通行人や近隣の人にも異常が知らされる。
【００１５】
また、前記防災センサ部で、火災等の災害が検知された場合、宅外の通行人や近隣の人にも異常が知らされると共に、消防署等、関係機関への通報を促すことができる。
【００１６】
更に、前記コールボタン部が、身体の異常時や何か異変が起こった時や、身体に侵入者等の危険が迫っている時に、押されることにより異常が知らせられると、前記多重通報機能によって、病院等の関連機関や、警察への通報が行われると共に、宅外の通行人や近隣の人にも異常が知らせられて、救助及び通報を促すことが出来る。
【００１７】
更に、請求項３に記載されたものは、前記ドアホン部に付属された人感センサ、或いは、特定位置に設置された侵入セキュリティシステムの何れかのセンサが、来訪者の有無を検知すると、前記カメラシステムが撮像を行う。
【００１８】
撮像された画像・映像データは、前記記憶機能によって蓄積されて、必要に応じて、確認出来る。
【００１９】
このため、該画像・映像データから、玄関から侵入した犯人の特定が容易に行える。
【００２０】
また、例えば、玄関の電子錠の開錠、若しくは、玄関の内部の人感センサによる動作物の検知により、前記撮像された画像・映像データを、帰宅者にメール等を用いて、送信するように設定することにより、メールの着信が頻発することなく、煩わしさを伴う虞が減少する。
【発明を実施するための最良の形態】
【００２１】
次に、図面に基づいて、この発明を実施するための最良の実施の形態のセキュリティシステムを説明する。
【００２２】
まず、構成を説明すると、この発明の実施の形態のセキュリティシステム１は、戸建住宅に設置されるもので、図１に示すように、電気錠，人感・開閉・クレセント・破壊検知などの各種センサ，人感センサ付カメラや画像内の動作物を検知できるカメラシステムを設けて、異常時に指定先にメールや電話で連絡する機能を有する侵入セキュリティシステム２を有するものである。
【実施例１】
【００２３】
図１に示す実施例１では、既設の侵入セキュリティシステム２に、警戒モードと非警戒委モードとの間で状態を切り換えるモード切替手段としてのモード切替装置３ａを有するセキュリティコントロール機能部３が設けられている。
【００２４】
このセキュリティコントロール機能部３には、勝手口のドアや窓等の開閉可能な開口部の施錠・開閉状態を監視する施錠・開閉状態監視装置３ｂが設けられている。
【００２５】
そして、このセキュリティコントロール機能部３を介して、セキュリティシステム１の多重通報等の制御を行うコントロール部４が接続されることにより、これらの侵入セキュリティシステム２及びコントロール部４によって、この実施例１のセキュリティシステム１の制御部分が概略構成されている。
【００２６】
また、このコントロール部４は、ドアホン部５等の各機器とネットワーク部１０を介して各々接続されている。
【００２７】
このうち、ドアホン部５は、警報屋内出力手段としてのドアホン親機５ａと、屋外に設けられて、カメラ５ｅを一体に装着した警報屋外出力手段としてのカメラ付きドアホン子機５ｂとを有して構成されていて、ドアホン親，子機５ａ，５ｂ間の通話，カメラ映像の表示，外部へのドアホンの音声と画像を転送し携帯電話等で応対できる通信機能と、ＷＥＢの表示機能部５ｃ・操作機能５ｄとを有している。
【００２８】
更に、このコントロール部４には、異常検知手段としてのコールボタン６と、防災センサ部としての防災センサ７とが接続されている。
【００２９】
このうち、前記コールボタン６は、身体の異常時や何か異変が起こった時に押すことにより異常を知らせるように構成されている。
【００３０】
また、前記防災センサ７は、火災を検知するセンサや、ガス漏れを検知するセンサ等を有して主に構成されている。
【００３１】
更に、この実施例１では、この戸建住宅の玄関に設けられて、異常検知手段の一部を構成する玄関電気錠８及び、窓・勝手口等の開口部に設けられる図示省略の防犯各種センサ（電気錠、人感・開閉・クレセント・破壊検知センサ等）が、このコントロール部４に接続されている。
【００３２】
また、前記コントロール部４には、カメラ５ｅで撮影した画像・映像データを蓄積する記憶機能部４ａが設けられている。
【００３３】
これらの画像・映像データは、このコントロール部４とネットワーク部１０のルーター・ハブからなる分岐装置９を介して接続される表示・操作装置１１に送出される。
【００３４】
この実施例１では、ネットワーク部１０として各機器への伝達方法として予め制御方法に則した信号を記憶し、この記憶した信号を発信する機器を用いる方法で行われる。この実施例１のネットワーク部１０の物理的媒体としては、有線のメタル線が用いられている。
【００３５】
また、表示・操作装置１１が、前記ドアホン親機５ａの表示機能部５ｃ、若しくは、パソコン１１ａ、携帯電話１１ｂ、デジタルＴＶ１１ｃやデジタルレコーダなどのデジタル家電機器の表示部で構成されていて、ＷＥＢの表示・操作機能が備えられている。
【００３６】
そして、前記カメラ５ｅで撮影されて、記憶機能部４ａに蓄積された画像・映像データが、画像・映像として再生されて、表示されるように構成されている。
【００３７】
また、前記分岐装置９には、侵入セキュリティシステム２と外部のネットワークであるインターネット１２とを接続するゲートウェイ機能９ａが設けられている。
【００３８】
そして、このゲートウエイ機能９ａを介して、前記コントロール部４に接続された空気調和装置１３等のネット家電機器に、モード監視及び変更の信号をメール等で送受信可能とすることにより、状態監視及び遠隔操作が可能となるように構成されている。
【００３９】
更に、前記コントロール部４には、異常時の連絡先などを記憶し、作動させる連絡機能４ｂと、各機器を動作させるための信号を記憶する機能４ｃや、様々な形式をＷＥＢ形式に変換する機能４ｄが設けられている。
【００４０】
そして、このコントロール部４には、侵入者を検知した場合、災害を検知した場合、住人の異常を検知した場合に、宅内に威嚇や警告音を発生するだけでなく、宅外の通行人や近隣の人にも異常を知らせる警報信号送出手段としての多重通報機能４ｅが備えられている。
【００４１】
すなわち、この実施例１では、前記モード切替装置３ａで、警戒モードに切り換えられた状態で、侵入者を検知した場合、災害を検知した場合又は住人の異常を検知した場合に、前記ドアホン部５の屋内に設置された警報屋内出力手段としてのドアホン親機５ａにより宅内に威嚇や警告音を発生するだけでなく、前記ドアホン部５の屋外に設置された警報屋内出力手段としてのドアホン子機５ｂから、宅内の異常を知らせる音（音声）が発生されるように構成されている。
【００４２】
次に、この実施例１のセキュリティシステムの作用について説明する。
【００４３】
この実施例１のセキュリティシステムでは、図２中、Ｓｔｅｐ１に示すように、セキュリティコントロール機能部３に設けられた前記モード切替装置３ａにより、警戒モードが選択されている際、前記侵入セキュリティシステム２の電気錠，人感・開閉・クレセント・破壊検知などの各種センサで、侵入者が検知されると、Ｓｔｅｐ２では、前記多重通報機能４ｄによって、（１）警報屋内外出力手段としてのドアホン部５のドアホン親機５ａ、コントロール部４、セキュリティコントロール部３のうち、少なくとも何れか一つから、威嚇音が発生される。
【００４４】
また、（２）警察署等、関係機関等、指定先への通報が行われると共に、（３）前記ドアホン子機５ｂから、宅内の異常を知らせる音（音声）が発生されて、宅外の通行人や近隣の人にも異常が知らされる。
【００４５】
例えば、ドアホン子機５ｂからの音、音声は、電子音であれば、玄関付近にいる侵入者に対して、威嚇となる。
【００４６】
また、ドアホン子機５ｂから音声で「侵入者です。警察に連絡して下さい。」と発声されることにより、侵入者に対して威嚇になることは、もちろん、近隣の人や通行人に侵入者があることを知らせることが出来、被害を最低限に抑えることが出来る。
【００４７】
また、前記防災センサ７で、火災等の災害が検知された場合でも、宅外の通行人や近隣の人にも異常を知らせると共に、消防署等、関係機関への通報を促すことができる。
【００４８】
更に、前記コールボタン６が、身体の異常時や何か異変が起こった時や、身体に侵入者等の危険が迫っている時に、押されることにより異常が知らせられると、前記多重通報機能４ｅによって、病院等の関連機関や、警察への通報が行われると共に、宅外の通行人や近隣の人にも異常が知らせられて、救助及び通報を促すことが出来る。
【００４９】
例えば、コールボタン６が押された時のドアホン子機からの音，音声は、電子音などでもよいが、何が起こっているか、近隣の人や通行人には、分からないため、「救急車を呼んで下さい。」、「助けて下さい。警察に連絡してください。」等の音声の方が好ましい。また、コールボタン６の押し方によって、音声を変えてもよい。音声は、前記コールボタン６を長く押した場合は、前記「救急車を呼んで下さい。」といった音声を発声させると共に、救急車を呼んでもらうように近隣の人や通行人に呼びかける。
【００５０】
そして、２回連続で、短く押した場合は、「助けて下さい。警察に連絡してください。」等の音声を発声させると共に、侵入者によって身体に危険が及んでいることをドアホン子機５ｅから家の近所に知らせることができる。
【００５１】
例えば、防災センサ７が、火災を検知した場合は、検知した時のドアホン子機からの音声を、「火災が発生しました。消防署へ連絡をして下さい。避難して下さい。」のように、近隣の人や通行人に火災の発生を知らせ、注意を促すと同時に、消防署への連絡が行われるように知らせることができる。
【００５２】
親の留守中に子供などが火遊びをした場合、不審火が発生した場合などで、火災に対処出来る人間がいない場合に有効である。
【００５３】
更に、前記実施例１では、侵入セキュリティシステム２及びコントロール部４によって、この実施例１のセキュリティシステムの制御部分が概略構成されている。このため、既設の侵入セキュリティシステム２に前記コントロール部４を接続するだけで、この実施例１のセキュリティシステムの制御部分が概略構成出来、後付け施工が容易である。
【実施例２】
【００５４】
図３及び図４は、この発明の実施の形態の実施例２のセキュリティシステム１０１を示すものである。なお、前記実施例１と同一乃至均等な部分については、同一符号を付して説明する。
【００５５】
この実施例２のセキュリティシステム１０１では、前記ドアホン部５に設けられるドアホン子機５ｆに人感センサ５ｇが付属されている。
【００５６】
この人感センサ５ｇは、前記ドアホン親機５ａを介して、前記コントロール部４に接続されていて、帰宅者を確認できる帰宅者確認機能を有するように構成されている。
【００５７】
次に、この実施例２のセキュリティシステム１０１の作用について説明する。
【００５８】
この実施例２のセキュリティシステム１０１では、前記ドアホン部５に付属された人感センサ５ｇが、来訪者の有無を検知すると、カメラシステムが作動して、前記カメラ５ｅによって、撮像が行われる。
【００５９】
撮像された画像・映像データは、前記コントロール部４の記憶機能部４ａによって蓄積されて、必要に応じて、前記表示・操作装置１１のドアホン親機５ａ等によって確認出来る。
【００６０】
このため、これらの蓄積された画像・映像データから、玄関から侵入した犯人の特定が容易に行える。
【００６１】
また、例えば、玄関の電子錠の開錠、若しくは、玄関の内部の人感センサによる動作物の検知により、前記撮像された画像・映像データを、帰宅者にメール等を用いて、送信するように設定することにより、メールの着信が頻発することなく、煩わしさを伴う虞が減少すると共に、メール受信費用の増大を防止できる。
【００６２】
更に、例えば、玄関を施錠したかについて、画像のメール送信時に記載することにより、メールの受信者が施錠状態について知ることができ、施錠していないときには、帰宅者に連絡をしたり、遠隔地操作で施錠操作をするなど、玄関の未施錠状態を防ぐことが出来る。
【００６３】
また、帰宅者を確認出来ると同時に、玄関からの侵入者があった場合でも、犯人の特定が可能となる場合もある。
【００６４】
以上、図面を参照して、本発明の実施の形態の実施例１，２を詳述してきたが、具体的な構成は、この実施の形態に限らず、本発明の要旨を逸脱しない程度の設計的変更は、本発明に含まれる。
【００６５】
即ち、前記実施の形態の実施例１，２では、ネットワーク部１０として各機器への伝達方法として予め制御方法に則した信号を記憶し、この記憶した信号を発信する機器を用いる方法で行われているが、例えば、ＪＥＭ−Ａ端子などのＨＡ端子を有する機器をＯＮ／ＯＦＦ制御する方法、ネットワーク化された機器のコントローラから各家電製品にモード変更の信号を送る方法などがある。
【００６６】
また、ネットワーク部１０の物理的媒体としては、有線のメタル線が用いられているが、電話線、電灯線、メタル線、光ファイバー等を用いても良く、各機器がこれらによって結線されているものであるならば、これらを混在させたもの等どのようなものを用いてもよい。
【００６７】
更に、このネットワーク部１０には、信号を供給・分岐する装置が含まれていてもよい。そして、有線に代えて、若しくは混在させて、無線を用いても良い。無線では、赤外線、特定小電力無線、ブルートゥース等を用いてもよく、通信機能の媒体として用いられるものであるならば、特に限定されるものではない。
【００６８】
また、前記ネットワーク部１０では、各機器間の信号の電送だけでなく、電力の搬送を行い、各接続機器への電力の供給を行ってもよい。
【００６９】
更に、実施例１，２では、図１，図３に、前記セキュリティコントロール機能部３を介
して、前記施錠・開閉状態監視装置３ｂが、独立した前記コントロール部４と接続されている構成が示されているが、特にこれに限定されることなく、例えば、このコントロール部４が、前記セキュリティコントロール機能部３内に設けられていたり、或いは、前記ドアホン親機５ａ内に設けられていてもよい。
【００７０】
そして、前記コントロール部４に設けられた異常時の連絡先などを記憶し、作動させる連絡機能４ｂが、例えば、セキュリティコントロール機能部３内に設けられる等、このセキュリティシステム１，１０１の何れの部分に設けられていてもよい。
【００７１】
更に、この実施例１，２では、ネット家電機器として、前記コントロール部４に接続された空気調和装置１３を前記コントロール部４に接続して用いているが、ＪＥＭ−Ａ端子などのＨＡ端子を有した各種エアコン、床暖房等、他のネット家電機器が、これらのネットワーク部１０を介して、前記インターネット１２に接続されていてもよい。
【００７２】
また、実施例２では、前記ドアホン部５に設けられるドアホン子機５ｂに人感センサ５ｇが付属されているが、特にこれに限らず、例えば、前記侵入セキュリティシステム２に接続される何れかのセンサを、屋外の玄関前等、特定位置に設置することにより、帰宅者を確認できるように、帰宅者確認機能を設けた構成としてもよい。
【図面の簡単な説明】
【００７３】
【図１】この発明の最良の実施の形態の実施例１のセキュリティシステムで、全体の構成を説明するブロック図である。
【図２】実施の形態の実施例１のセキュリティシステムで、動作を説明する流れ図である。
【図３】実施の形態の実施例２のセキュリティシステムで、全体の構成を説明するブロック図である。
【図４】実施の形態の実施例２のセキュリティシステムで、動作を説明する流れ図である。
【符号の説明】
【００７４】
１，１０１        セキュリティシステム
２                侵入セキュリティシステム
３                セキュリティコントロール機能部
３ａ              モード切換装置（モード切換手段）
４                コントロール部
４ａ              記憶機能部
４ｂ              連絡機能
４ｃ              （記憶）機能
４ｄ              （変換）機能
４ｅ              多重通報機能（警報信号送出手段）
５                ドアホン部（警報屋内出力手段）
５ｂ              ドアホン子機（警報屋外出力手段）
５ｆ              人感センサ付きカメラ付きドアホン子機（警報屋外出力手段）
５ｇ              人感センサ
６                コールボタン
７                防災センサ
１０              ネットワーク部
１１              表示・操作装置
１２              インターネット（外部のネットワーク）          
【図１】
2006243815.tif 000003
【図２】
2006243815.tif 000004
【図３】
2006243815.tif 000005
【図４】
2006243815.tif 000006